(57)【特許請求の範囲】
【請求項１】
複数の管理対象エリアに係る消費電力を管理するための消費エネルギー管理装置において、
前記管理対象エリアごとの、在室者を検知する検知手段と、
前記在室者の人数の変化を認識可能な時間間隔ごとに、前記検知された在室者に係る人数情報を生成する人数情報生成手段と、
前記管理対象エリアごとに、所定時間間隔ごとの消費電力量を計測する消費電力計測手段と、
前記人数情報生成手段で生成された人数情報と、前記消費電力計測手段で計測された消費電力量とから、前記管理対象エリアごとおよび前記在室者の人数の変化を認識可能な時間間隔に応じた所定時間間隔ごとの、在室者１人あたりの消費電力量を算出する算出手段と、
複数の前記管理対象エリアについて、前記算出手段にて算出した、最新の所定時間における在室者1人あたりの消費電力量を対比表示する対比表示手段と
を備えることを特徴とする消費エネルギー管理装置。
【請求項２】
前記管理対象エリアごとに、所定時間間隔ごとの、検知された在室者に係る動態情報を生成する動態情報生成手段をさらに有し、
前記対比表示手段は、複数の前記管理対象エリアの前記最新の所定時間における、前記在室者１人あたりの消費電力量とともに、前記動態情報生成手段で生成した動態情報を対比表示する
ことを特徴とする請求項１に記載の消費エネルギー管理装置。
【請求項３】
前記管理対象エリアごとに、所定時間間隔ごとの、ブラインドまたは窓の開度情報を示す環境情報を生成する環境情報生成手段をさらに有し、
前記対比表示手段は、複数の前記管理対象エリアの前記最新の所定時間における、前記在室者１人あたりの消費電力量とともに、前記環境情報生成手段で生成した環境情報を対比表示する
ことを特徴とする請求項１または２に記載の消費エネルギー管理装置。
【請求項４】
空調機の設定温度を上げることを勧める内容を示す第１テキスト情報、ブラインドや窓を閉めることを勧める第２テキスト情報、および使用するエリアの変更を勧める内容を示す第３テキスト情報を保持するテキスト情報保持手段をさらに有し、
前記対比表示手段は、前記管理対象エリアごとに、前記１人あたりの消費電力量が予め設定された閾値を超えた場合には前記第１テキスト情報を表示し、また前記環境情報が予め設定された閾値を超えた場合には前記第２テキスト情報を表示し、前記１人あたりの消費電力量または動態情報に対する消費電力量が予め設定された閾値よりも高い場合、定常的に動態情報が所定値よりも少ないにもかかわらず断続的に当該エリア内の機器が稼動していると判断される場合、または前記人数情報に対して消費電力量が大きいと判断される場合に、前記第３テキスト情報を表示する
ことを特徴とする請求項３に記載の消費エネルギー管理装置。
【請求項５】
前記管理対象エリアごとの機器を制御する機器制御手段と、
前記算出手段にて算出した消費電力量が予め設定された値を上回ったときに、前記機器制御手段により当該管理対象エリアの機器を停止させる指示を送出する制御指示送出手段と
をさらに有することを特徴とする請求項１〜４いずれか１項に記載の消費エネルギー管理装置。
【発明の詳細な説明】
【技術分野】
【０００１】
本発明の実施形態は、消費エネルギー管理装置に関する。
【背景技術】
【０００２】
近年、注目されている地球温暖化等の環境問題に対応するため、オフィスビルや商業施設などの大型施設において省エネルギー化が求められている。
【０００３】
このような大型施設においては、消費されるエネルギーの約５０％が空調設備で使用されているため、この空調設備で消費されるエネルギーを削減することが温暖化対策において重要になる。
【０００４】
そこで、建物内の空調設備による消費電力量を一括管理することで、各空調機の消費電力量を少なくするためのアドバイス情報を出力したり、予め設定された目標値を超えないように消費電力量を制御することで省エネ対策を行うシステムが提供されている。
【先行技術文献】
【特許文献】
【０００５】
【特許文献１】特開２００９−２４５３６１号公報
【発明の概要】
【発明が解決しようとする課題】
【０００６】
しかし上述したような従来のシステムでは、例えば会議室など在室者の人数や動作内容が流動的に変わるエリアにおいても、これらの変化に関わらず同様に消費電力量が評価されるため、例えば人数が多く空調を強くする必要がある場合や在室者がなく空調制御が不要な場合などには、好適な制御によるエネルギー管理ができないことがあるという問題があった。
【０００７】
本発明は上記事情に鑑みてなされたものであり、在室者の動態と消費エネルギー量に対応して、好適なエネルギー管理を行うための支援をする消費エネルギー管理装置を提供することを目的とする。
【課題を解決するための手段】
【０００８】
上記目的を達成するための本発明の消費エネルギー管理装置は、検知手段と、人数情報生成手段と、消費電力計測手段と、算出手段と、対比表示手段とを有する。検知手段は、管理対象エリアごとの、在室者を検知する。人数情報生成手段は、前記在室者の人数の変化を認識可能な時間間隔ごとに、前記検知された在室者に係る人数情報を生成する。消費電力計測手段は、前記管理対象エリアごとおよび所定時間間隔ごとの、消費電力量を計測する。算出手段は、前記人数情報生成手段で生成された人数情報と、前記消費電力計測手段で計測された消費電力量とから、前記管理対象エリアごとおよび前記在室者の人数の変化を認識可能な時間間隔に応じた所定時間間隔ごとの、在室者１人あたりの消費電力量を算出する。対比表示手段は、複数の前記管理対象エリアについて、前記算出手段にて算出した、最新の所定時間における在室者1人あたりの消費電力量を対比表示する。
【図面の簡単な説明】
【０００９】
【図１】第１実施形態および第２実施形態による消費エネルギー管理システムの構成を示すブロック図である。
【図２】第１実施形態による消費エネルギー管理システムの構成例（１）を示す全体図である。
【図３】第１実施形態による消費エネルギー管理システムの構成例（２）を示す全体図である。
【図４】第１実施形態による消費エネルギー管理システムの構成例（３）を示す全体図である。
【図５】第１実施形態による消費エネルギー管理システムの構成例（１）における動作を示すフローチャートである。
【図６】第１実施形態による消費エネルギー管理システムの構成例（２）における動作を示すシーケンス図である。
【図７】第１実施形態による消費エネルギー管理システムの構成例（３）における動作を示すシーケンス図である。
【図８】（ａ）、（ｂ）は、第１実施形態による消費エネルギー管理システムで表示された管理情報の一例である。
【図９】第２実施形態による消費エネルギー管理システムで表示された管理情報の一例である。
【図１０】他の実施形態による消費エネルギー管理システムの様々な管理対象エリアを示す説明図である。
【発明を実施するための形態】
【００１０】
《第１実施形態》
〈第１実施形態による消費エネルギー管理システムの構成〉
本発明の第１実施形態による消費エネルギー管理システムの構成について、図１を参照して説明する。
【００１１】
本実施形態による消費エネルギー管理システムは、在室者の動態情報を生成する動態情報生成装置１０と、空調機の消費電力量を計測する消費電力量計測装置２０と、動態情報生成装置１０で生成された動態情報と消費電力量計測装置２０で計測された消費電力量とを集計して管理情報を生成する集計装置３０と、生成した管理情報を表示する表示装置４０とを備える。
【００１２】
動態情報生成装置１０は、赤外線を用いた人感センサやカメラ装置等を用い、所定時間間隔で管理対象エリアの在室者の動態情報、例えば在室者の有無、在室者がいる場合の人数や活動量などの情報を生成する。この「所定時間間隔」とは、管理対象エリアの在室者の人数等の変化等を認識可能な時間間隔であり、例えば１分間隔である。
【００１３】
ここで各在室者の人数、活動量の情報が生成される場合は、例えばカメラ装置で撮影された管理対象エリアの画像情報から生成される。
【００１４】
消費電力量計測装置２０は、所定時間間隔で管理対象エリアの機器、例えば空調機の消費電力量を計測するものであり、該当する機器に内蔵された消費電力量計測計で構成してもよいし、管理対象エリアの電力量計から取得するか、もしくは電力量計の表示パネルをカメラで撮影した画像を解析することにより消費電力量を取得する装置で構成してもよい。この「所定時間間隔」とは、消費電力量の変化を認識可能な時間間隔であり、例えば１分間隔である。
【００１５】
集計装置３０は、動態情報取得部３１と、消費電力量計測値取得部３２と、取得情報記憶部３３と、管理情報生成部３４とを有する。
【００１６】
動態情報取得部３１は、動態情報生成装置１０で生成された管理対象エリアの在室者の動態情報を取得する。
【００１７】
消費電力量計測値取得部３２は、消費電力量計測装置２０で計測された管理対象エリアの機器の消費電力量計測値を取得する。
【００１８】
取得情報記憶部３３は、動態情報取得部３１で取得された動態情報および消費電力量計測値取得部３２で取得された消費電力量計測値を、それぞれ時間情報とともに記憶する。
【００１９】
管理情報生成部３４は、システム利用者によって設定された表示対象エリアおよび表示対象期間の情報に基づいて、対応する動態情報および消費電力量計測値を取得情報記憶部３３から抽出し、所定時間間隔（例えば１分間隔、３０分間隔）ごとに動態情報と消費電力量計測値とを対応付けた管理情報を生成する。
【００２０】
表示装置４０は、管理情報生成部３４で生成された管理情報を表示し、システム利用者が省エネ制御操作を行うための情報を提供する。
【００２１】
上述した消費エネルギー管理システムは、例えば図２〜４に示すように構成されて使用される。
【００２２】
図２は、管理対象エリアが部屋Ｘの１つである場合の消費エネルギー管理システム１の全体図である。この部屋Ｘには空調機１００が設置され、この空調機１００に、動態情報生成装置１０、消費電力量計測装置２０、集計装置３０、および表示装置４０の機能が搭載されている。
【００２３】
また図３は、管理対象エリアが部屋Ｙの１つである場合の消費エネルギー管理システム２の全体図である。この部屋Ｙには、１台の動態情報生成装置１０と、２台の空調機１１０、１２０と、１台のパーソナルコンピュータ（ＰＣ）１３０とが伝送専用線１４０で接続されている。この空調機１１０、１２０には消費電力量計測装置２０の機能が搭載され、ＰＣ１３０には集計装置３０および表示装置４０の機能が搭載されている。
【００２４】
また図４は、管理対象エリアが部屋Ａ、部屋Ｂ、部屋Ｃの３つである場合の消費エネルギー管理システム３の全体図である。この部屋Ａには空調機１５０が設置され、この空調機１５０は無線ネットワーク１６０、無線基地局１７０を介してインターネット１８０に接続されている。この空調機１５０には、動態情報生成装置１０および消費電力量計測装置２０の機能が搭載されている。
【００２５】
また部屋Ｂには１台の動態情報生成装置１０と、２台の空調機１９０、２００とが、有線ネットワーク２１０を介してインターネット１８０に接続されて設置されている。この空調機１９０、２００には消費電力量計測装置２０の機能が搭載されている。
【００２６】
また部屋Ｃには１台の動態情報生成装置１０と、２台の空調機２２０、２３０とが有線ネットワーク２１０を介してインターネット１８０に接続されて設置されている。この空調機１９０、２００には消費電力量計測装置２０の機能が搭載されている。
【００２７】
またこれらの部屋Ａの空調機１５０と、部屋Ｂの動態情報生成装置１０、空調機１９０、および空調機２００と、部屋Ｃの動態情報生成装置１０、空調機２２０、および空調機２３０とにインターネット１８０を介して接続された中央管理装置２４０が設置され、この中央管理装置２４０には集計装置３０および表示装置４０の機能が搭載されている。
【００２８】
またこの消費エネルギー管理システム３において、システム利用者が携帯する携帯端末２５０をインターネット１８０に接続可能な状態に構成し、中央管理装置２４０の集計装置３０で生成された管理情報を表示させる表示装置４０として機能させるようにしてもよい。
【００２９】
〈第１実施形態による消費エネルギー管理システムの動作〉
本実施形態による消費エネルギー管理システム１〜３の動作について説明する。
【００３０】
［消費エネルギー管理システム１の動作］
図２に示す消費エネルギー管理システム１において消費エネルギー管理処理が実行されるときの空調機１００の動作について図５のフローチャートを参照して説明する。
【００３１】
まず、空調機１００に内蔵された動態情報生成装置１０により部屋Ｘの在室者の動態情報が所定時間間隔で生成され（Ｓ１）、集計装置３０の動態情報取得部３１で取得されて取得情報記憶部３３に記憶される（Ｓ２）とともに、消費電力量計測装置２０により所定時間間隔で当該空調機１００の消費電力量計測値が取得され（Ｓ３）、集計装置３０の消費電力量計測値取得部３２で取得された消費電力量計測値が取得情報記憶部３３に記憶される（Ｓ４）。
【００３２】
ここで、動態情報生成装置１０で生成される動態情報は、部屋Ｘ内を撮影可能な状態に設置されたカメラ装置（図示せず）により撮影された画像情報が解析されることにより、計測された在室者の人数および活動量から生成される。
【００３３】
在室者の活動量は、動作内容ごとに予め設定された活動量（ｍｅｔ）の値、例えば動作「座っている」の活動量「１．０ｍｅｔ」、動作「立っている」の活動量「１．５ｍｅｔ」、動作「歩いている」の活動量「２．０ｍｅｔ」等ごとの人数が計数され、この計数された結果に基づいて例えば最大人数の活動量の値が当該エリアの在室者の活動量として決定される。
【００３４】
そして、設定された表示対象エリア（ここでは部屋Ｘ）および表示対象期間の情報に基づいて、当該エリアおよび期間に対応する動態情報および消費電力量計測値が取得情報記憶部３３から抽出され（Ｓ５）、所定時間間隔ごとに集計された動態情報と消費電力量計測値とが対応付けられた管理情報が管理情報生成部３４において生成される（Ｓ６）。
【００３５】
そして、管理情報生成部３４において生成された管理情報が、表示装置４０に表示される（Ｓ７）。
【００３６】
このように管理対象エリア内の空調機１００に内蔵された表示装置４０に動態情報と消費電力量計測値とが対応付けられた過去の所定時間の管理情報を表示させることにより、在室者の動態に対応した空調機１００の電力量の消費状態を、在室者に認識させることができる。
【００３７】
［消費エネルギー管理システム２の動作］
図３に示す消費エネルギー管理システム２において消費エネルギー管理処理が実行されるときの動作について、図６のシーケンス図を参照して説明する。
【００３８】
まず、管理対象エリアの部屋Ｙの動態情報生成装置１０により、所定時間間隔で在室者の動態情報が生成され、伝送専用線１４０を介してＰＣ１３０に送信される（Ｓ１１）。
【００３９】
ここでは、カメラ装置（図示せず）により管理対象エリアＹが撮影された画像情報が動態情報生成装置１０で解析されることにより在室者の人数および活動量が計測され、この計測値が動態情報として生成される。
【００４０】
ＰＣ１３０の集計装置３０では、動態情報生成装置１０から送信された動態情報が動態情報取得部３１で取得され、取得情報記憶部３３に記憶される（Ｓ１２）。
【００４１】
また、空調機１１０に内蔵された消費電力量計測装置２０により、所定時間間隔で当該空調機１１０の消費電力量計測値が取得され、伝送専用線１４０を介してＰＣ１３０に送信される（Ｓ１３）。
【００４２】
ＰＣ１３０の集計装置３０では、空調機１１０から送信された消費電力量計測値が消費電力量計測値取得部３２で取得され、取得情報記憶部３３に記憶される（Ｓ１４）。
【００４３】
さらに、空調機１２０に内蔵された消費電力量計測装置２０により、所定時間間隔で当該空調機１２０の消費電力量計測値が取得され、伝送専用線１４０を介してＰＣ１３０に送信される（Ｓ１５）。
【００４４】
ＰＣ１３０に内蔵された集計装置３０では、空調機１２０から送信された消費電力量計測値が消費電力量計測値取得部３２で取得され、取得情報記憶部３３に記憶される（Ｓ１６）。
【００４５】
そして、設定された表示対象エリアおよび表示対象期間の情報に基づいて、当該エリアおよび期間に対応する動態情報および消費電力量計測値が取得情報記憶部３３から抽出され（Ｓ１７）、所定時間間隔（例えば１０分間）ごとに集計された動態情報と消費電力量計測値とが対応付けられた管理情報が管理情報生成部３４において生成される（Ｓ１８）。ここで、表示対象エリアとして部屋Ｙが設定され、表示対象期間として現在時刻を基点に例えば過去１時間が設定されているものとする。
【００４６】
そして、管理情報生成部３４において生成された管理情報が、表示装置４０に表示される（Ｓ１９）。
【００４７】
このように管理対象エリア内のＰＣ１３０の表示装置４０に動態情報と消費電力量計測値とが対応付けられた過去の所定時間の管理情報を表示させることにより、在室者の動態に対応した空調機１００の電力量の消費状態を、在室者に認識させることができる。
【００４８】
［消費エネルギー管理システム３の動作］
図４に示す消費エネルギー管理システム３において消費エネルギー管理処理が実行されるときの動作について、図７のシーケンス図を参照して説明する。
【００４９】
まず、管理対象エリアの部屋Ａの空調機１５０に内蔵された動態情報生成装置１０において、所定時間間隔で在室者の動態情報が生成される。
【００５０】
ここでは、カメラ装置（図示せず）により管理対象エリアＡが撮影された画像情報が動態情報生成装置１０で解析されることにより在室者の人数および活動量が計測され、この計測値が動態情報として生成される。
【００５１】
また空調機１５０に内蔵された消費電力量計測装置２０おいて、所定時間間隔で積算された消費電力量が計測される。
【００５２】
生成された動態情報は、空調機１５０から無線ネットワーク１６０、無線基地局１７０、インターネット１８０を介して中央管理装置２４０に送信される（Ｓ２１）。
【００５３】
中央管理装置２４０では、空調機１５０から送信された動態情報が集計装置３０の動態情報取得部３１で取得されるとともに消費電力量計測値が消費電力量計測値取得部３２で取得され、取得情報記憶部３３に記憶される（Ｓ２２）。
【００５４】
また、管理対象エリアの部屋Ｂの動態情報生成装置１０において所定時間間隔で在室者の動態情報が生成され、有線ネットワーク２１０、インターネット１８０を介して中央管理装置２４０に送信される（Ｓ２３）。
【００５５】
中央管理装置２４０では、部屋Ｂの動態情報生成装置１０から送信された動態情報が集計装置３０の動態情報取得部３１で取得され、取得情報記憶部３３に記憶される（Ｓ２４）。
【００５６】
また、部屋Ｂの空調機１９０に内蔵された消費電力量計測装置２０により、所定時間間隔で当該空調機１９０の消費電力量計測値が取得され、有線ネットワーク２１０、インターネット１８０を介して中央管理装置２４０に送信される（Ｓ２５）。
【００５７】
中央管理装置２４０では、空調機１９０から送信された消費電力量計測値が集計装置３０の消費電力量計測値取得部３２で取得され、取得情報記憶部３３に記憶される（Ｓ２６）。
【００５８】
また、部屋Ｂの空調機２００に内蔵された消費電力量計測装置２０により、所定時間間隔で当該空調機１９０の消費電力量計測値が取得され、有線ネットワーク２１０、インターネット１８０を介して中央管理装置２４０に送信される（Ｓ２７）。
【００５９】
中央管理装置２４０では、空調機１９０から送信された消費電力量計測値が集計装置３０の消費電力量計測値取得部３２で取得され、取得情報記憶部３３に記憶される（Ｓ２８）。
【００６０】
また、管理対象エリアの部屋Ｃの動態情報生成装置１０において所定時間間隔で在室者の動態情報が取得され、有線ネットワーク２１０、インターネット１８０を介して中央管理装置２４０に送信される（Ｓ２９）。
【００６１】
中央管理装置２４０では、部屋Ｃの動態情報生成装置１０から送信された動態情報が集計装置３０の動態情報取得部３１で取得され、取得情報記憶部３３に記憶される（Ｓ３０）。
【００６２】
また、部屋Ｃの空調機２２０に内蔵された消費電力量計測装置２０により、所定時間間隔で当該空調機２２０の消費電力量計測値が取得され、有線ネットワーク２１０、インターネット１８０を介して中央管理装置２４０に送信される（Ｓ３１）。
【００６３】
中央管理装置２４０では、空調機２２０から送信された消費電力量計測値が集計装置３０の消費電力量計測値取得部３２で取得され、取得情報記憶部３３に記憶される（Ｓ３２）。
【００６４】
また、部屋Ｃの空調機２３０に内蔵された消費電力量計測装置２０により、所定時間間隔で当該空調機２２０の消費電力量計測値が取得され、有線ネットワーク２１０、インターネット１８０を介して中央管理装置２４０に送信される（Ｓ３３）。
【００６５】
中央管理装置２４０では、空調機２２０から送信された消費電力量計測値が集計装置３０の消費電力量計測値取得部３２で取得され、取得情報記憶部３３に記憶される（Ｓ３４）。
【００６６】
そして、設定された表示対象エリアおよび表示対象期間の情報に基づいて、当該エリアおよび期間に対応する動態情報および消費電力量計測値が取得情報記憶部３３から抽出され（Ｓ３５）、所定時間間隔（例えば、１分間隔）ごとに集計された動態情報と消費電力量計測値とが対応付けられた管理情報が集計装置３０の管理情報生成部３４において生成される（Ｓ３６）。ここで、表示対象エリアとして部屋Ａ〜Ｃが設定され、表示対象期間として現在時刻を基点に例えば過去２０分が設定されているものとする。
【００６７】
そして、管理情報生成部３４において生成された管理情報が、表示装置４０に表示される（Ｓ３７）。
【００６８】
ここで、インターネット１８０に接続可能な携帯端末２５０において、ステップＳ３６で生成された管理情報を表示させるようにしてもよい。
【００６９】
上述した処理において、集計装置３０の管理情報生成部３４において管理情報を生成する際に、取得された動態情報と消費電力量計測値とから所定時間間隔ごとの在室者１人あたりの消費電力量も算出しておくことで、所定時間間隔ごとの動態情報と消費電力量計測値と１人あたりの消費電力量とが対応付けられた管理情報が生成され、表示装置４０に表示に表示されるようにしてもよい。
【００７０】
このように所定時間間隔ごとの動態情報と消費電力量計測値と１人あたりの消費電力量とが対応付けられた管理情報が、表示装置４０に表示されたときの一例を、図８に示す。
【００７１】
図８は、集計装置３０において、各部屋の動態情報生成装置１０から１分間隔で動態情報が取得されるとともに、各部屋の消費電力量計測装置２０から１分間隔で消費電力量計測値が取得されて生成された管理情報の、（ａ）最新の管理情報を表形式で表示した図、および（ｂ）過去２０分間の管理情報の推移をグラフ形式で表示した図である。
【００７２】
図８（ａ）には、最新の管理情報に基づいて、部屋Ａには１５（人）の在室者がおり、この在室者の活動量が２（ｍｅｔ）であり、消費電力量が１０ｋＷであり、１人当たりの消費電力量が０．７（ｋＷ）であることが示されており、部屋Ｂには１（人）の在室者がおり、この在室者の活動量が１（ｍｅｔ）であり、消費電力量が９（ｋＷ）であり、１人当たりの消費電力量が９．０（ｋＷ）であることが示されており、部屋Ｃには７（人）の在室者がおり、この在室者の活動量が２（ｍｅｔ）であり、消費電力量が１１（ｋＷ）であり、１人当たりの消費電力量が１．６（ｋＷ）であることが示されている。
【００７３】
この図８（ａ）に表形式で示された管理情報により、部屋Ｂは、活動量の少ない在室者が１人しかいないにも関わらず、他のエリアよりも多くの電力を消費していることがわかる。
【００７４】
また、図８（ｂ）には、過去２０分間の管理情報に基づいて、例えば部屋Ａの人数（ｎ）の推移、および消費電力量（ｍ）の推移がプロットされグラフ形式で示されている。
【００７５】
この図８（ｂ）にグラフ形式で示された管理情報により、８分程前に当該部屋Ａの在室者の人数が０人になったが消費電力量は高いままであるため、無人の部屋において空調機の停止操作がされていないことが推測される。
【００７６】
以上の本実施形態によれば、管理対象エリアの在室者の動態情報と消費エネルギーとを対応させて表示させることで、在室者や管理者に好適なエネルギー管理を行うための情報を提供し、省エネ制御操作の支援をすることができる。
【００７７】
また管理情報を表形式やグラフ形式により表示させることで、表示装置４０を視認したシステム利用者か管理情報を理解しやすくなり、さらに好適に省エネ制御操作のための支援をすることができる。また管理対象エリアの部屋ごとに１人当たりの消費電力量を表示させることにより、消費電力量を相対的に他のエリア、部屋と比べることができ、さらにシステム利用者による省エネ制御操作のための支援をすることができる。
【００７８】
《第２実施形態》
〈第２実施形態による消費エネルギー管理システムの構成〉
本発明の第２実施形態による消費エネルギー管理システムの構成は、第１実施形態による消費エネルギー管理システムと同様であるため、同一機能を有する装置、機能部についての詳細な説明は省略する。
【００７９】
本実施形態による動態情報生成装置１０は、カメラ装置で撮影された画像情報を用い、第１実施形態において説明したように在室者の動態情報を生成するとともに、この画像情報から管理対象エリア内の窓部分におけるブラインドや窓等の開度を、環境情報として生成し、集計装置３０に送信する。
【００８０】
集計装置３０では、管理情報を生成する際に、動態情報および消費電力量計測値とともに該当するエリア、期間の環境情報も取得し、これらに基づいて管理情報を生成する。
【００８１】
〈第２実施形態による消費エネルギー管理システムの動作〉
本実施形態による消費エネルギー管理システムでは、動態情報生成装置１０において在室者の動態情報に加え、上述した環境情報を生成して集計装置３０に記憶させておき、管理情報生成部３４において表示対象エリア、期間に該当する動態情報、消費電力量計測値、および環境情報に基づいて管理情報を生成することの他は、第１実施形態による消費エネルギー管理システムの動作と同様であるため、詳細な説明は省略する。
【００８２】
本実施形態による消費エネルギー管理システムにより表示装置４０に表示された管理情報の一例を、図９に示す。
【００８３】
図９は、集計装置３０において、各部屋の動態情報生成装置１０から１分間隔で動態情報および環境情報が取得されるとともに、各部屋の消費電力量計測装置２０から１分間隔で消費電力量計測値が取得されて生成された管理情報の、最新の管理情報を表形式で表示した図である。
【００８４】
図９には、最新の環境情報に基づいて、部屋Ａには１５（人）の在室者がおり、この在室者の活動量が２（ｍｅｔ）であり、消費電力量が１０ｋＷであり、ブラインドの開度が０（％）であり、１人当たりの消費電力量が０．７（ｋＷ）であることが示されており、部屋Ｂには１（人）の在室者がおり、この在室者の活動量が１（ｍｅｔ）であり、消費電力量が９（ｋＷ）であり、ブラインドの開度が８０（％）であり、１人当たりの消費電力量が９．０（ｋＷ）であることが示されており、部屋Ｃには７（人）の在室者がおり、この在室者の活動量が２（ｍｅｔ）であり、消費電力量が１１（ｋＷ）であり、ブラインドの開度が１００（％）であり、１人当たりの消費電力量が１．６（ｋＷ）であることが示されている。
【００８５】
この図９に表形式で示された管理情報により、部屋Ｂおよび部屋Ｃではブラインドの開度が高く、空調効率が低くなっていることが考えられる。
【００８６】
以上の本実施形態によれば、管理対象エリアの在室者の動態情報および消費エネルギーに加え、ブラインドや窓の開度を示す環境情報を対応させて表示させることで、在室者や管理者に好適なエネルギー管理を行うための情報を提供し、さらに省エネ制御操作の支援をすることができる。
【００８７】
《他の実施形態》
また他の実施形態として、消費エネルギー管理システム内の動態情報生成装置１０や消費電力量計測装置２０のうち、集計装置３０で情報を取得して管理情報の生成対象とする装置を、システム利用者が変更可能な状態となるように構成してもよい。
【００８８】
このように構成することにより、図１０に示すように、フロア単位（例えばエリアＡ）で管理したい場合、建物単位（例えばエリアＢ）で管理したい場合、複数の建物を含む地域単位（例えばエリアＣ）で管理した場合、または機器単位や空調制御エリア単位など、目的に応じて省エネ管理の対象としたい装置を変更して管理情報生成対象として設定することができる。
【００８９】
また他の実施形態として、集計装置３０において、動態情報生成装置１０や消費電力量計測装置２０から情報を集計する期間を、システム利用者が変更可能な状態となるように構成してもよい。
【００９０】
このように構成することにより、ある瞬間や短期間の情報が必要な場合、例えば最新の管理情報または過去１時間の管理情報を表示させたい場合や、長期視点での情報が必要な場合、例えば過去１年間の管理情報または昨年度の管理情報を表示させたい場合など、目的に応じて省エネ管理の対象としたい期間を変更して管理情報生成対象として設定することができる。
【００９１】
また他の実施形態として、集計装置３０の管理情報生成部３４に、予め省エネ制御操作を促す内容のテキスト情報、例えば空調機の設定温度を上げることを勧める内容のテキスト情報やブラインドや窓を閉めることを勧める内容のテキスト情報と、これらのテキスト情報を提示するための閾値、例えば１人当たりの消費電力量の閾値やブラインド開度の閾値とを保持しておき、これを利用して管理情報を生成する際に該当するテキスト情報を含めるようにしてもよい。
【００９２】
例えば、生成した１人当たりの消費電力量が保持した閾値以上の場合には空調機の設定温度を上げることを勧める内容のテキスト情報を含めた管理情報を生成し、またブラインド開度が保持した閾値以上の場合にはブラインドを閉めることを勧める内容のテキスト情報を含めた管理情報を生成し、これらを表示装置４０に表示させるようにすることで、表示装置４０を視認した在室者や管理者に省エネ制御操作を具体的に促すことができる。
【００９３】
また、予め管理情報生成部３４に、空調機を停止させるように注意喚起する内容のテキスト情報を保持しておき、動態情報生成装置１０から取得された動態情報から在室者がいないと判断された場合に、このテキスト情報を含む管理情報を生成し、表示装置４０に表示させるようにすることで、さらに省エネ制御操作を促すことができる。
【００９４】
また、予め管理情報生成部３４に、使用する部屋（エリア）の変更を勧める内容のテキスト情報を保持しておき、ある短期間において人数および活動量に対する消費エネルギーが予め設定された閾値よりも高い場合や、長期間（例えば月単位や年単位の期間）の管理情報を解析することにより、定常的に活動量が所定値よりも少ないにもかかわらず断続的に空調機が稼働し無駄にエネルギーが消費されていると判断した場合に、少数の（例えば一箇所）の部屋（エリア）に人間が集まるよう誘導するためのテキスト情報を含む管理情報を生成し、表示装置４０に表示させるようにすることで、該当する部屋の空調機を停止させる省エネ制御操作を促すことができる。
【００９５】
また、部屋（エリア）ごとの広さや収容人数を予め設定、もしくは長期間の管理情報に基づき平均的な使用人数を算出し、収容人数・平均使用人数に対してある時点の使用人数が少ないにもかかわらず消費エネルギーが大きい場合には、収容人数・平均使用人数が少なく、エネルギー効率の高くなる部屋（エリア）に移動するよう促すことにより、全体でのエネルギー消費を抑えることができる。
【００９６】
また管理情報生成部３４において、上記のように省エネ制御操作を実行させるためのテキスト情報を含んだ管理情報に併せて、これらの省エネ制御操作を実行したときに得られると見込まれる省エネルギー効果の情報、例えば予測される消費電力量の削減量を算出して表示させるようにすることで、さらに在室者や管理者の省エネ制御操作に対する意識を高めることができる。
【００９７】
また、管理情報を週単位・月単位などシステム利用者によって設定された期間ごとに集計を行い、表やグラフ、テキスト情報を用いてレポートを自動で作成し、システム利用者に提示することにより、定期的に省エネルギー効果を確認したり、省エネルギー化対策を検討したりすることができる。
【００９８】
また、上述した集計装置３０を管理対象エリア内の空調機等の機器を制御する制御装置に接続し、外部（例えば電力会社）から省エネ制御要求が取得されたときや予め設定された消費電力量を上回ったことが検出されたときなど、消費電力量を削減する必要があると判断されたときに、管理情報生成部３４において在室者の動態情報に対して消費電力量が多い機器、例えば１人あたりの消費電力量が多い機器から停止させる機器停止指示を当該制御装置に送出するようにしてもよい。
【００９９】
また上述した各実施形態においては管理対象エリアの機器の消費電力量として空調機の消費電力量を計測する場合について説明したが、これには限定されず、例えば管理対象エリアの照明機器やコンセントからの消費電力量を計測し管理情報を生成するようにしてもよい。このとき、計測した消費電力量が逸脱して高いと判断されたときに、注意喚起を促すテキスト情報が表示されるように設定することが考えられる。
【０１００】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【０１０１】
１〜３…消費エネルギー管理システム
１０…動態情報生成装置
２０…消費電力量計測装置
３０…集計装置
３１…動態情報取得部
３２…消費電力量計測値取得部
３３…取得情報記憶部
３４…管理情報生成部
４０…表示装置
１００〜１２０、１５０、１９０、２００、２２０、２３０…空調機
１３０…ＰＣ
１４０…伝送専用線
１６０…無線ネットワーク
１７０…無線基地局
１８０…インターネット
２１０…有線ネットワーク
２４０…中央管理装置
２５０…携帯端末
【図１】
0005422509.tif 000002
【図２】
0005422509.tif 000003
【図３】
0005422509.tif 000004
【図４】
0005422509.tif 000005
【図５】
0005422509.tif 000006
【図６】
0005422509.tif 000007
【図７】
0005422509.tif 000008
【図８】
0005422509.tif 000009
【図９】
0005422509.tif 000010
【図１０】
0005422509.tif 000011